(57)【要約】【課題】  代替フロンＨＦＣ−１５２ａをカーエアコン用冷媒に用いた場合にも、圧縮機の能力維持を図ることができる開放式圧縮機を提供する。【解決手段】  ハウジング(4,6)と、ハウジング内を延び、ハウジングに軸受を介して回転自在に支持された回転軸(10)と、ハウジング内に収容され、回転軸に駆動されて冷媒ＨＦＣ−１５２ａのガスの吸入、圧縮及び吐出の一連のプロセスを実施するユニットと、ハウジングに列設し、ユニットに接続する吸入室(50)、ユニットに接続し吸入室に隣接する吐出室(52)、並びに吸入室と吐出室との間を断熱する吐出室断熱手段(81)を備えたヘッド(80)とを含むよう構成する。【選択図】      図１
2005171881.tif 000002
【特許請求の範囲】
【請求項１】
ハウジングと、
該ハウジング内を延び、該ハウジングに軸受を介して回転自在に支持された回転軸と、
前記ハウジング内に収容され、前記回転軸に駆動されて冷媒ＨＦＣ−１５２ａのガスの吸入、圧縮及び吐出の一連のプロセスを実施するユニットと、
前記ハウジングに列設し、前記ユニットに接続する吸入室、前記ユニットに接続し前記吸入室に隣接する吐出室、並びに前記吸入室と前記吐出室との間を断熱する吐出室断熱手段を備えたヘッドとを含むことを特徴とする開放式圧縮機。
【請求項２】
前記吐出室断熱手段は、前記吐出室を覆い、前記吸入室と前記吐出室との間を断熱する断熱材を含むことを特徴とする請求項１に記載の開放式圧縮機。
【請求項３】
前記ヘッドは、前記吸入室と前記吐出室とを区画する隔壁を備え、
前記吐出室断熱手段は、前記隔壁内に前記吸入室及び前記吐出室の双方から独立して形成され、前記吸入室と前記吐出室との間を断熱する空隙を含むことを特徴とする請求項１に記載の開放式圧縮機。
【請求項４】
前記吐出室断熱手段は、樹脂材で形成された吐出室及び該吐出室を除きアルミニウム材で形成されたヘッド部分を備える複合構造からなり、前記吸入室と前記吐出室との間を断熱することを特徴とする請求項１に記載の開放式圧縮機。
【請求項５】
前記吐出室断熱手段は、樹脂材で形成されたヘッドを備える単一構造からなり、前記吸入室と前記吐出室との間を断熱することを特徴とする請求項１に記載の開放式圧縮機。
【請求項６】
前記吐出室断熱手段は、前記吐出室を覆い、該吐出室に隣接する圧縮室と前記吐出室との間を断熱する断熱材を含むことを特徴とする請求項１又は２に記載の開放式圧縮機。
【請求項７】
前記ユニットは、固定スクロール及び可動スクロールを備え、該可動スクロールの旋回運動により圧縮室の容積を減少させて前記冷媒ガスの圧縮及び吐出動作を実施するスクロールユニットであることを特徴とする請求項１から６のいずれか一項に記載の開放式圧縮機。
【発明の詳細な説明】
【技術分野】
【０００１】
本発明は、開放式圧縮機に係り、詳しくは、圧縮に要する回転力を外部から得るべく回転軸をハウジングの外側に出し、そのハウジング内を気密に保つ軸封装置を備えた開放式圧縮機に関する。
【背景技術】
【０００２】
従来、カーエアコン用冷媒には特定フロンＣＦＣ−１２が用いられたが、オゾン層の破壊などの観点からフロンＨＦＣ−１３４ａに代替されている。この代替フロンＨＦＣ−１３４ａを用いた開放式圧縮機に関する技術は種々出願されている（特許文献１、２）。
しかし、このＨＦＣ−１３４ａには地球温暖化の観点からの問題が依然として残されている。その冷媒の温暖化係数（ＧＷＰ）が１３００もあって未だに大きいからである。つまり、その冷媒を大気中に１ｋｇ放出すればＣＯ2の１３００ｋｇ放出と同等であることを意味する。よって、欧米においては、修理時の回収が義務付けられており、またいずれ全廃することも考えられている。
【０００３】
そこで、他の代替冷媒が必要となる。この例としては、ＣＯ2や代替フロンＨＦＣ−１５２ａが挙げられる。特に、当該ＨＦＣ−１５２ａではＧＷＰが１４０と小さく、ＨＦＣ−１３４ａに比して地球温暖化は低減される。また、ＨＦＣ−１５２ａは可燃性であるが上記ＨＦＣ−１３４ａに比して圧縮圧力も低くでき、成績係数（ＣＯＰ）の点でも優れている。
【特許文献１】特開平５−２０２８５４号公報（段落番号０００９等）
【特許文献２】特開平５−２６１５４号公報（段落番号０００５等）
【発明の開示】
【発明が解決しようとする課題】
【０００４】
ところで、この代替フロンＨＦＣ−１５２ａは、上記ＨＦＣ−１３４ａに比して吐出ガスの温度が約１５〜２０℃程度高くなるとの特性を有している。なぜならば、ＨＦＣ−１３４ａの比熱比（Ｃｐ／Ｃｖ）が１．１２であるのに対し、ＨＦＣ−１５２ａのそれは１．１５だからである。
そして、吐出ガスの温度の上昇は、圧縮機全体の高温化を引き起こすものとして懸念される。具体的には、吐出ガスからの熱の移動によって吸入ガスの温度が不所望に上昇して膨張し、この結果、吸入ガスの密度の低下によって実質的な冷媒循環量が減少するとの問題を生ずる。また、吐出ガス温度の上昇が圧縮機全体に伝わると、金属の熱膨張によって可動部分等に悪影響を及ぼすことになる。従って、カーエアコン用冷媒に代替フロンＨＦＣ−１５２ａを用いる場合には、圧縮機の吐出温度の上昇に対する何等かの措置が必要になる。
【０００５】
本発明は、このような課題に鑑みてなされたもので、代替フロンＨＦＣ−１５２ａをカーエアコン用冷媒に用いた場合にも、圧縮機の能力維持を図ることができる開放式圧縮機を提供することを目的とする。
【課題を解決するための手段】
【０００６】
上記の目的を達成するべく、請求項１記載の開放式圧縮機は、ハウジングと、ハウジング内を延び、ハウジングに軸受を介して回転自在に支持された回転軸と、ハウジング内に収容され、回転軸に駆動されて冷媒ＨＦＣ−１５２ａのガスの吸入、圧縮及び吐出の一連のプロセスを実施するユニットと、ハウジングに列設し、ユニットに接続する吸入室、ユニットに接続し吸入室に隣接する吐出室、並びに吸入室と吐出室との間を断熱する吐出室断熱手段を備えたヘッドとを含むことを特徴としている。
【０００７】
また、請求項２記載の発明では、吐出室断熱手段は、吐出室を覆い、吸入室と吐出室との間を断熱する断熱材を含むことを特徴としている。
更に、請求項３記載の発明では、ヘッドは、吸入室と吐出室とを区画する隔壁を備え、吐出室断熱手段は、隔壁内に吸入室及び吐出室の双方から独立して形成され、吸入室と吐出室との間を断熱する空隙を含むことを特徴としている。
【０００８】
更にまた、請求項４記載の発明では、吐出室断熱手段は、樹脂材で形成された吐出室及び吐出室を除きアルミニウム材で形成されたヘッド部分を備える複合構造からなり、吸入室と吐出室との間を断熱することを特徴としている。
また、請求項５記載の発明では、吐出室断熱手段は、樹脂材で形成されたヘッドを備える単一構造からなり、吸入室と吐出室との間を断熱することを特徴としている。
【０００９】
更に、請求項６記載の発明では、吐出室断熱手段は、吐出室を覆い、吐出室に隣接する圧縮室と吐出室との間を断熱する断熱材を含むことを特徴としている。
更にまた、請求項７記載の発明では、ユニットは、固定スクロール及び可動スクロールを備え、可動スクロールの旋回運動により圧縮室の容積を減少させて冷媒ガスの圧縮及び吐出動作を実施するスクロールユニットであることを特徴としている。
【発明の効果】
【００１０】
したがって、請求項１記載の本発明の開放式圧縮機によれば、代替フロンＨＦＣ−１５２ａをカーエアコン用冷媒として用いた場合には、仮に吐出ガスの温度が上昇しても吐出室断熱手段が吸入室と吐出室との間を断熱する。よって、吐出室側から吸入室側への吐出ガスの熱の移動が少なくなり、吸入ガスの不所望な温度上昇を防止できる。従って、吸入ガスの膨張が抑制され、実質的な冷媒循環量の減少を防ぎ、成績係数（ＣＯＰ）の低下を防止することができる。また、吐出室の温度上昇が圧縮機全体に伝わり、金属が熱膨張してしまうことに伴う可動部分等への悪影響を減らすことができる。
【００１１】
また、請求項２記載の発明によれば、この場合には、現有の構成に吐出室を遮蔽する断熱材の構成を追加するのみで吸入ガスの不所望な温度上昇を防止することができる。なお、断熱材としては堅くて変形せずに断熱できるものであれば良い。また、樹脂のコーティングによる断熱材であっても良い。
更に、請求項３記載の発明によれば、吐出室が隔壁を介して吸入室に隣接した場合であっても、この隔壁内には空隙を設け、この空隙部分が吸入室と吐出室との間を連通しない独立部分として形成される。よって、この場合にも吐出室側から吸入室側への吐出ガスの熱の移動が少なくなり、吸入ガスの不所望な温度上昇を防止できる。
【００１２】
更にまた、請求項４記載の発明によれば、樹脂材による吐出室とアルミニウム材による吸入室とが構成されることになるので、この場合にも吐出室が遮蔽され、吸入ガスの不所望な温度上昇を防止できる。
また、請求項５記載の発明によれば、ヘッド全体を樹脂材で形成すれば、吐出室の遮蔽を図りつつ製造コストを低減することが可能になる。
【００１３】
更に、請求項６記載の発明によれば、吐出室断熱手段が圧縮室と吐出室との間を断熱する。よって、吐出室側から圧縮室側への吐出ガスの熱の移動が少なくなり、吸入ガスの不所望な温度上昇を防止できる。従って、吸入ガスの膨張が抑制され、実質的な冷媒循環量の減少を防ぎ、成績係数（ＣＯＰ）の低下を防止することができる。また、吐出室の温度上昇が圧縮機全体に伝わり、金属が熱膨張してしまうことに伴う可動部分等への悪影響をも減らすことができる。
【００１４】
更にまた、請求項７記載の発明によれば、回転式のスクロール型圧縮機は、往復式の斜板型圧縮機に比して、吸入室からの冷媒ガスが吐出室に至るまでに長時間を要することに鑑みたものである。換言すれば、吐出ガスからの熱は、吸入室の他、スクロール内にも移動してそのスクロール内のガス温度をも上昇させてしまうのである。よって、吐出室断熱手段をスクロール型圧縮機に設け、吸入室から圧縮室に至るまでの吸入ガスの不所望な温度上昇を抑えることで、吐出ガスの更なる温度上昇の可能性を排除し、圧縮機の能力維持を確実に達成できる。
【発明を実施するための最良の形態】
【００１５】
以下、図面により本発明の実施形態について説明する。
図１は、本実施形態に係るカーエアコン用の開放式圧縮機を示す。
当該圧縮機２はハウジング（シリンダブロック）６を備え、このシリンダブロック６の一端側には他のハウジング（クランクケース）４が、他端側にはヘッド（シリンダヘッド）８０がそれぞれ複数の連結ボルトにより相互に連結されている。なお、図１には、シリンダブロック６とシリンダヘッド８０との間を連結する連結ボルトのみが示されている。
【００１６】
クランクケース４内にはその中央に回転軸（駆動軸）１０が配置され、この駆動軸１０の一端側はクランクケース４を貫通し、軸受１２を介してクランクケース４に回転自在に支持されている。一方、駆動軸１０の他端はシリンダブロック６の中央に貫通して形成した中央孔１４に進入し、軸受１６を介してシリンダブロック６に回転自在に支持されている。
【００１７】
駆動軸１０の一端は駆動プーリ１８に電磁クラッチ２０を介して連結可能となっており、電磁クラッチ２０は駆動プーリ１８に内蔵されている。駆動プーリ１８は軸受２２を介してクランクケース４に回転自在に支持され、車両のエンジン（図示しない）から動力を受けて回転される。従って、電磁クラッチ２０がオン作動されると、駆動プーリ１８の回転が駆動軸１０に伝達され、この駆動軸１０は一方向に回転される。
【００１８】
シリンダブロック６内には例えば７個のシリンダボア２４が形成されている。これらシリンダボア２４はシリンダブロック６の周方向に等間隔を存して配置され、駆動軸１０と平行にしてシリンダブロック６をその軸線方向に貫通している。
各シリンダボア２４内にはピストン２６が摺動自在に嵌合され、これらピストン２６の一端はシリンダブロック６からクランクケース４内、すなわち、クランク室２８に突出したテール３０として形成されている。テール３０は一対のシュー３２を有し、これらシュー３２間に斜板３４の外周縁部が摺動自在に挟み付けられている。
【００１９】
斜板３４は駆動軸１０に取り付けられ、そして、駆動軸１０にはクランクケース４と斜板３４との間に位置してロータ３６が取り付けられている。これら斜板３４及びロータ３６は駆動軸１０と一体に回転し、斜板３４はロータ３６にヒンジ３８を介して連結され、傾動可能となっている。更に、駆動軸１０には、この駆動軸１０を囲繞するようにしてコイルスプリング４０が取付けられており、このコイルスプリング４０は斜板３４をシリンダブロック６側に押圧付勢している。
【００２０】
一方、シリンダブロック６とシリンダヘッド８０との間には円形のバルブプレート４２が挟持されており、このバルブプレート４２は各シリンダボア２４内に、そのピストン２６の他端、すなわち、そのヘッド８０との間にて圧縮室４４を形成させる。バルブプレート４２には各シリンダボア２４毎に吸入ポート４６及び吐出ポート４８がそれぞれ形成されている。図から明らかなように、バルブプレート４２の径方向でみて、吸入ポート４６は対応する吐出ポート４８の外側に位置付けられている。
【００２１】
シリンダヘッド８０は、シリンダブロック６に向けて開口したカップ形状をなし、このカップ形状の開口端はバルブプレート４２に気密に嵌合され、シリンダブロック６に連結される。また、シリンダヘッド８０はその内部に互いに独立した環状の吸入室５０と、吐出室５２とを有する。吸入室５０はシリンダヘッド８０の外周部に配置され、吐出室５２はシリンダヘッド８０の中央部に配置されている。つまり、吐出室５２は隔壁８１Ａを介して吸入室５０に隣接される。
【００２２】
吸入室５０は各シリンダボア２４の吸入ポート４６にそれぞれ吸入弁５４を介して連通することができる。これに対し、吐出室５２は各シリンダボア２４の吐出ポート４８にそれぞれ吐出弁５６を介して連通することができる。吸入弁５４及び吐出弁５６はともにリード弁からなる。より詳しくは、吸入弁５４の弁体はシリンダブロック６とバルブプレート４２との間に挟持され、その圧縮室４４内に配置されている。一方、吐出弁５６の弁体は吐出室５２側のバルブプレート４２の面にその弁開度を制限するストッパ５８とともに取付けボルト６０を介して取り付けられている。
【００２３】
吸入室５０及び吐出室５２は代替フロンＨＦＣ−１５２ａによる冷媒循環管路に接続されており、この冷媒循環管路には吐出室５２側から凝縮器、膨脹弁及び蒸発器が順次介挿されている。これら凝縮器及び膨脹弁は圧縮機と同様に車両のエンジンルーム内に配置され、これに対し、蒸発器は車両の車室側に配置されている。
ここで、本実施形態のシリンダヘッド８０には吐出室５２と吸入室５０との間を断熱させる吐出室断熱部（吐出室断熱手段）８１が備えられている。本実施形態の吐出室断熱部８１としては、吐出室５２の内側面に沿って形成されたカップ形状の断熱材が配設されている。当該断熱材としては堅くて変形せずに断熱できるものであれば良く、また、樹脂のコーティングによる断熱材であっても良い。
【００２４】
そして、圧縮機２の駆動軸１０とともに斜板３４が回転されると、この斜板３４の回転は各ピストン２６の往復運動に変換される。ここで、ピストン２６がそのシリンダボア２４内の圧縮室４４を増加させる方向に移動すると、吸入弁５４が開かれ、吸入室５０から吸入ポート４６を通じて冷媒ＨＦＣ−１５２ａのガスが吸い込まれる。この後、ピストン２６が圧縮室４４側に移動されると、圧縮室４４内に吸い込まれた冷媒は圧縮され、この圧縮圧が吐出弁５６の締切圧を越えた時点で吐出弁５６が開かれる。この結果、圧縮冷媒は圧縮室４４から吐出ポート４８を通じて吐出室５２内、つまり、冷媒循環管路に向けて吐出される。この吐出された冷媒は、この後、凝縮器にて凝縮され、そして、膨脹弁を通じて液相の冷媒が蒸発器に供給される。液相の冷媒は蒸発器内に気化し、この気化熱よって蒸発器周辺の空気が冷却される。従って、このような冷却空気を車室内に導入させて、車室内の冷房を行うことができる。
【００２５】
このように、本実施形態の圧縮機２では、吐出室断熱部８１が吐出室５２を断熱材で遮蔽することから、代替フロンＨＦＣ−１５２ａを用いることによって吐出室５２内の吐出ガスの温度が上昇しても、圧縮機２の全体に対する温度の上昇や実質的な冷媒循環量の減少を防止する。
このような利点は、具体的には図２のモリエル線図からも明らかである。当該線図の縦軸は圧力Ｐを示し、横軸はエンタルピｉを示す。そして、圧縮行程では吐出温度の位置に該当するエンタルピと吸入温度の位置に該当するエンタルピとの差が冷媒に与えられる仕事量となる。例えば、従来の吸入温度の位置は点ａであり、吐出温度の位置は点ｂである。ここで、本実施形態の如く吐出室断熱部を設けた場合には、吸入温度の位置を示す点Ａが従来の点ａよりも左側に位置し、吸入温度が低くなることが分かる。また、吐出温度の位置を示す点Ｂも従来の点ｂよりも左側に位置し、吐出温度の上昇も抑えられることも分かる。更に、本実施形態の仕事量Ｄもまた従来の仕事量ｄに比して小さくなることが分かる。
【００２６】
すなわち、本実施形態の圧縮機２によれば、吐出ガスの温度が上昇してしまうという代替フロンＨＦＣ−１５２ａの負の特性に起因した悪影響を排除できることが明らかとなる。換言すれば、吐出室５２側から吸入室５０側への吐出ガスの熱の移動が少なくなるのである。これは吸入ガスの不所望な温度上昇を防止できて、その膨張が抑制可能となり、この結果、吸入ガスのガス密度の低下が防止されて実質的な冷媒循環量の減少を防ぎ、成績係数（ＣＯＰ）の低下を防止可能となることを意味する。
【００２７】
しかも、本実施形態の吐出室断熱部８１では、現有の圧縮機の構成に吐出室５２を遮蔽する断熱材の構成を追加するのみで吸入ガスの不所望な温度上昇を防止することができ、製造コストの低減が図られる。
ところで、吐出室断熱部は吐出室５２と吸入室５０とを区画させる隔壁部分にのみ設けられるものであっても良い。図３は本発明の他の実施例に係る開放式圧縮機２Ａを示す。当該圧縮機２Ａと上述の圧縮機２との違いはヘッドの構成のみであることから、以下この構成について詳細に説明する。
【００２８】
すなわち、当該圧縮機２Ａのシリンダヘッド８２はバルブプレート４２に向けて開口したカップ形状をなす。シリンダヘッド８２には吸入室５０及び吐出室５２が形成されており、吐出室５２は隔壁８２Ａを介して吸入室５０に隣接される。
本実施例のシリンダヘッド８２には隔壁８２Ａに対して吐出室断熱部が備えられている。より具体的には、隔壁８２Ａは吐出室５２側に対面する吐出側隔壁部８３及び吸入室５０側に対面する吸入側隔壁部８４とを有し、これらの各隔壁部８３、８４との間に切れ込みを入れて構成され、吐出室５２と吸入室５０との間を連通しない独立した空隙部８５を有して構成される。
【００２９】
つまり、この空隙部８５は吐出室５２の熱が隔壁を介して吸入室５０に移動するのを遮る機能を果たす。よって、代替フロンＨＦＣ−１５２ａを冷媒として用いる場合にも上述と同様な吸入ガスの不所望な温度上昇が防止できる。
また、吐出室断熱部は、吐出室を樹脂製とし、他のシリンダヘッド全体をアルミニウム製とした複合構造であっても良いものである。
【００３０】
この吐出室断熱部については図４に示される。当該圧縮機２Ｂのシリンダヘッド８６は、バルブプレート４２に向けて開口したカップ形状をなすが、シリンダヘッド８６内には樹脂製の吐出室断熱部８７が別途独立して配設される。つまり、吐出室５２が樹脂製の吐出室断熱部８７で区画される。一方、吐出室５２の周囲は吸入室５０がアルミニウム製のシリンダヘッド８６にて区画される。また、吐出室５２は樹脂製の吐出室断熱部８７による隔壁８７Ａを介して吸入室５０に隣接される。
【００３１】
このように、樹脂材による吐出室５２とアルミニウム材による吸入室５０とでシリンダヘッドを構成すれば吐出室５２を遮蔽することができ、この場合にも吸入ガスの不所望な温度上昇が防止できる。
なお、吐出室断熱部は吐出室及び吸入室を含んだシリンダヘッド全体を樹脂製とした単一構造であっても良い。この場合には、吐出室を遮蔽しつつ、製造コストの低減が可能になるからである。
【００３２】
更に、吐出室断熱部は、吐出室５２とこれに隣接するシリンダボア２４内の圧縮室４４との間を断熱しても良い。本実施例の圧縮機２Ｃのシリンダヘッド８８は図５に示されており、吐出室５２は隔壁８９Ａを介して吸入室５０に隣接される。一方、吐出室５２はバルブプレート４２を介して圧縮室４４に隣接される。そして、吐出室断熱部８９としては、吐出室５２の内側面及び吐出室５２側のバルブプレート４２の面に沿って形成された断熱材が配設されている。
【００３３】
このように、圧縮室４４と吐出室５２との間をも断熱すれば、吐出室５２側から吸入室５０側への他、吐出室５２側から圧縮室４４側への吐出ガスの熱の移動も少なくなり、代替フロンＨＦＣ−１５２ａを用いることによって吐出室５２内の吐出ガスの温度が上昇しても、圧縮機２Ｃの全体に対する温度の上昇や実質的な冷媒循環量の減少を更に防止できる。
【００３４】
以上で本発明の一実施形態についての説明を終えるが、本発明は上記実施形態に限定されるものではなく、本発明の趣旨を逸脱しない範囲で種々の変更ができるものである。
例えば、上記実施形態では往復式の斜板型圧縮機について示されているが、本発明は斜板型圧縮機に必ずしも限定されるものではなく、例えば回転式のスクロール型圧縮機など、自動車のエンジンに取り付けられる容積形の各種の開放式圧縮機に適用することができる。
【００３５】
一例としてスクロール型圧縮機に関して述べると、該圧縮機は駆動ケーシング及び圧縮ケーシングを有するハウジングを備えている。駆動ケーシングには回転軸が備えられており、この駆動ケーシングに圧縮ケーシングが嵌合されている。この圧縮ケーシング内には固定スクロール及び可動スクロールからなるスクロールユニットが配置されており、可動スクロールの旋回運動により圧縮室の容積を減少させて冷媒ガスの圧縮及び吐出動作を実施している。
【００３６】
ここで、この圧縮ケーシングにはヘッドが連結されている。そして、ヘッド内の吐出室に対して上述した吐出室断熱部を配設すれば、スクロール型圧縮機の如く吸入室から吐出室に至るまでに時間を要する場合にも吐出ガスの温度上昇の影響を受け難くなり、吐出室における吐出ガスの更なる温度上昇の可能性が排除される。よって、圧縮機の確実なる能力維持に貢献できる。
【図面の簡単な説明】
【００３７】
【図１】本発明の一実施形態に係る開放式圧縮機の断面構成図である。
【図２】図１の圧縮機の断熱効果を説明する図である。
【図３】他の実施例に係る開放式圧縮機の断面構成図である。
【図４】他の実施例に係る開放式圧縮機の断面構成図である。
【図５】他の実施例に係る開放式圧縮機の断面構成図である。
【符号の説明】
【００３８】
２，２Ａ，２Ｂ，２Ｃ  開放式圧縮機
４  ハウジング（クランクケース）
６  ハウジング（シリンダブロック）
１０  回転軸
１２、１６  軸受
４４  圧縮室
５０  吸入室
５２  吐出室
８０  ヘッド（シリンダヘッド）
８１  断熱材（吐出室断熱手段）
８２  ヘッド（シリンダヘッド）
８３  吐出側隔壁部（隔壁）
８４  吸入側隔壁部（隔壁）
８５  空隙部（吐出室断熱手段）
８６  アルミニウム製ヘッド（シリンダヘッド）
８７  樹脂製吐出室（吐出室断熱手段）
８８  ヘッド（シリンダヘッド）
８９  断熱材（吐出室断熱手段）
【図１】
2005171881.tif 000003
【図２】
2005171881.tif 000004
【図３】
2005171881.tif 000005
【図４】
2005171881.tif 000006
【図５】
2005171881.tif 000007